(57)【特許請求の範囲】
【請求項１】
ランプの点灯累積時間を記憶し、この累積時間に応じて減少する前記ランプの光束を補うようにランプの調光度を前記点灯累積時間に応じて調整するように構成した照明制御装置において、
前記ランプの点灯累積時間を検出してカウントアップする第１の点灯累積時間タイマと、
時間を記憶する第２の点灯累積時間タイマと、
前記ランプの点灯累積時間の初期化操作を行うための操作手段と、
前記操作手段による初期化操作がなされたことを検出した場合に、前記操作手段の操作時間を検出し、所定時間を超えたか否かに応じて、初期化操作時における第１の点灯累積時間タイマのカウント値を第２の点灯累積時間タイマにコピーすると共に第１の点灯累積時間タイマを初期化する第１の処理、または、前記第２の点灯累積時間タイマに記憶されたカウント値を前記第１の点灯累積時間タイマのカウント値に加えて初期化回復操作を行う第２の処理のいずれかを選択して実行する初期化回復手段と、
累積時間に応じて減少するランプの光束を補うための調光度を調整する場合に、前記第１の点灯累積時間タイマのカウント値に応じて調光度を決定し、ランプの明るさを制御する制御手段と
を具備することを特徴とする照明制御装置。
【請求項２】
照明器具本体と、この照明器具本体に設けられたランプと、前記照明器具本体に設けられた請求項１に記載の照明制御装置とを具備していることを特徴とする照明器具。
【発明の詳細な説明】
【０００１】
【発明の属する技術分野】
本発明は、ランプの光束低下を補正して、適切な照度を維持するように制御を行うよう構成した照明制御装置および照明器具に関する。
【０００２】
【従来の技術】
従来、照明制御装置を備えた照明器具においては、照明器具本体側に設置されている点灯装置または制御装置に点灯累積時間をカウントするタイマ機能を保持しており、ランプの点灯累積時間に基づいて調光度を決定し、ランプ光束を補正するように構成したものが知られている。
【０００３】
なお、蛍光ランプの場合、同じランプ入力に対して、光出力が初期の７０％程度に減少した時をランプ寿命末期とし、このランプ寿命末期までの点灯累積時間は、一般的に約１２，０００時間程度とされている。従って、ランプ点灯初期におけるランプ入力を７０％に設定し、点灯累積時間の経過に応じて調光度を漸次増加することにより、ランプ寿命末期に至るまでランプの明るさをほぼ一定となるようにしている。
【０００４】
【発明が解決しようとする課題】
しかしながら、従来の照明制御装置においては、ランプ寿命末期において、ランプが点灯不良となって新しいランプと交換する際には、点灯累積時間をカウントするタイマのリセットすなわち初期化操作を必ず行わなければならず、この初期化操作が面倒となる等の難点がある。
【０００５】
また、ランプの交換を行っていないのに、誤って初期化操作をしてしまうと、ランプ光束は低下しているにも拘らず、調光度を低下させてしまうので、光出力が減少して不適切な照明となる難点がある。
【０００６】
そこで、本発明においては、点灯累積時間タイマの初期化誤操作を防止することができると共に、初期化誤操作した後においても点灯累積時間タイマの初期化回復を行うことのできるように構成した照明制御装置および照明器具を提供することを目的とする。
【０００７】
【課題を解決するための手段】
本発明の請求項１に記載の照明制御装置は、ランプの点灯累積時間を記憶し、この累積時間に応じて減少する前記ランプの光束を補うようにランプの調光度を前記点灯累積時間に応じて調整するように構成した照明制御装置において、前記ランプの点灯累積時間を検出してカウントアップする第１の点灯累積時間タイマと、時間を記憶する第２の点灯累積時間タイマと、前記ランプの点灯累積時間の初期化操作を行うための操作手段と、前記操作手段による初期化操作がなされたことを検出した場合に、前記操作手段の操作時間を検出し、所定時間を超えたか否かに応じて、初期化操作時における第１の点灯累積時間タイマのカウント値を第２の点灯累積時間タイマにコピーすると共に第１の点灯累積時間タイマを初期化する第１の処理、または、前記第２の点灯累積時間タイマに記憶されたカウント値を前記第１の点灯累積時間タイマのカウント値に加えて初期化回復操作を行う第２の処理のいずれかを選択して実行する初期化回復手段と、累積時間に応じて減少するランプの光束を補うための調光度を調整する場合に、前記第１の点灯累積時間タイマのカウント値に応じて調光度を決定し、ランプの明るさを制御する制御手段とを具備することを特徴とする。
【０００９】
本発明の請求項２に記載の照明器具は、照明器具本体と、この照明器具本体に設けられたランプと、前記照明器具本体に設けられた請求項１に記載の照明制御装置とを具備していることを特徴とする。
【００１０】
【発明の実施の形態】
次に、本発明に係る照明制御装置およびこれを適用した照明器具の実施の形態につき、添付図面を参照しながら、以下詳細に説明する。
【００１１】
図１は、本発明に係る照明制御装置のシステム構成の概略を示すブロック系統図である。すなわち、図１において、参照符号１０は照明器具としてランプを示し、参照符号１２は前記ランプ１０に対する調光装置、１４は前記ランプ１０の点灯累積時間の設定とそのカウントを行う点灯累積時間タイマをそれぞれ示す。そして、これらの調光装置１２と点灯累積時間タイマ１４とは、制御部１６において、前記点灯累積時間タイマ１４のカウント値から、現在のランプ１０の光束低下を推定してそれを補うような調光度を決定し、この調光度に基づいて前記調光装置１２を介してランプ１０を点灯させるように構成される。さらに、参照符号１８は、ランプ１０の点灯累積時間の初期化操作を行うための初期化スイッチを示す。
【００１２】
なお、前記調光度の決定は、前記制御部１６において、所要の演算式を用いて演算により行ってもよいし、あるいは調光度に関するデータを予めテーブル化して設定しておき、このテーブルを参照して調光度を決定するように構成してもよい。
【００１３】
次に、前記構成からなる照明制御装置による点灯累積時間の初期化操作並びにその回復操作の典型的な実施の形態について、図２を参照しながら説明する。
【００１４】
まず、ランプ１０の点灯の開始と共に、点灯中であることの判定が定期的に行われる（ＳＴＥＰ−１）。そして、ランプ１０が点灯中であれば、点灯累積時間タイマ１４のカウント動作（カウント増加）が逐次行われる（ＳＴＥＰ−２）。また、このカウント動作と共に、制御部１６において調光度の演算が行われ、調光装置１２を介してランプ１０の明るさ制御が行われる（ＳＴＥＰ−３）。そして、この間において、初期化スイッチ１８による初期化操作が行われなければ、前記照明制御動作が繰り返し継続される。
【００１５】
そこで、初期化スイッチ１８により初期化操作を行った場合には、制御部１６において、現在の点灯累積時間タイマ１４のカウント値の確認が行われる（ＳＴＥＰ−４）。前記制御部１６においては、点灯累積時間タイマ１４のカウント値Ｔn が、予め設定されたランプ寿命設定時間Ｔx を経過したか（Ｔn ＞Ｔx ）の判定を行う（ＳＴＥＰ−５）。そして、前記点灯累積時間タイマ１４のカウント値Ｔn がランプ寿命設定時間Ｔx を経過していれば、点灯累積時間タイマ１４のカウントをリセットして終了する（ＳＴＥＰ−６）。しかるに、前記点灯累積時間タイマ１４のカウント値Ｔn がランプ寿命設定時間Ｔx を経過していなければ、前記初期化スイッチ１８の初期化操作を無効として終了し、そのまま前記照明制御動作が繰り返し継続される。
【００１６】
なお、前記の実施の形態においては、初期化操作の判定を、点灯累積時間タイマ１４のカウント値で直接行っているが、例えば前記点灯累積時間タイマ１４のカウント値によって決定される調光度によって判定することも可能であり、この場合には、通常前記点灯累積時間タイマ１４のカウント値の増加によって調光度が増大するので、調光度が所定値以上の値となれば、初期化操作を行うように判定する構成とすることもできる。
【００１７】
図３は、本発明に係る照明制御装置による点灯累積時間の初期化操作並びにその回復操作の別の実施の形態を示すものである。すなわち、図３においては、点灯累積時間タイマ１４として、第１の点灯累積時間タイマ１４Ａと、第２の点灯累積時間タイマ１４Ｂとを設けた構成からなる。この場合、ランプ１０の点灯の開始から初期化スイッチ１８による初期化操作が行われるまでの照明制御動作（ＳＴＥＰ−１〜ＳＴＥＰ−４）は、前記図２に示す制御操作と全く同じである。
【００１８】
そこで、初期化スイッチ１８による初期化操作が行われた場合（ＳＴＥＰ−４）、次に前記初期化スイッチ１８を長押し（例えば１秒以上）した際には、初期化操作を回復するように構成したものである。しかるに、前記初期化スイッチ１８の操作後にさらに初期化スイッチ１８の操作を判定して（ＳＴＥＰ−７）、初期化スイッチ１８の長押しがされていない場合においては、前記初期化スイッチ１８の操作時における第１の点灯累積時間タイマ１４Ａのカウント値Ｔn1を記憶して、このカウント値Ｔn1を第２の点灯累積時間タイマ１４Ｂにコピーして置く（ＳＴＥＰ−８）。そして、第１の点灯累積時間タイマ１４Ａのカウントをリセットする（ＳＴＥＰ−９）。
【００１９】
次いで、初期化スイッチ１８が長押し（例えば１秒以上）された場合には、第２の点灯累積時間タイマ１４Ｂにコピーされた第１の点灯累積時間タイマ１４Ａのカウント値Ｔn1に、第２の点灯累積時間タイマ１４Ｂによるカウント値Ｔn1′を加えた値が、第１の点灯累積時間タイマ１４Ａのカウント値Ｔn2（＝Ｔn1＋Ｔn1′）として設定され（ＳＴＥＰ−１０）、初期化操作が回復されて、そのまま前記照明制御動作が繰り返し継続される。
【００２０】
なお、本実施の形態における、前記第１の点灯累積時間タイマ１４Ａと第２の点灯累積時間タイマ１４Ｂのカウント動作としては、図４の（ａ）、（ｂ）に示すように２つの態様が考えられる。
【００２１】
すなわち、第１の態様としては、第２の点灯累積時間タイマ１４Ｂが第１の点灯累積時間タイマ１４Ａのカウント値Ｔn1をコピーして、第１の点灯累積時間タイマ１４Ａのカウントをリセットした際に（ＳＴＥＰ−８〜ＳＴＥＰ−８）、第２の点灯累積時間タイマ１４Ｂは、タイマとして動作せずに、単に記憶部として機能し、前記カウント値Ｔn1を保持しており、初期化スイッチ１８が長押しされた場合に、保持していた前記カウント値Ｔn1を、その後の第１の点灯累積時間タイマ１４Ａのカウント値Ｔn1′に加えて（Ｔn1′＋Ｔn1＝Ｔn2）、第１の点灯累積時間タイマ１４Ａの初期化操作を回復させるように構成することができる。
【００２２】
また、第２の態様としては、第２の点灯累積時間タイマ１４Ｂが第１の点灯累積時間タイマ１４Ａのカウント値Ｔn1をコピーして、第１の点灯累積時間タイマ１４Ａのカウントをリセットした際に（ＳＴＥＰ−８〜ＳＴＥＰ−８）、第２の点灯累積時間タイマ１４Ｂは、前記コピーした前記カウント値Ｔn1に基づいてカウントを開始し、初期化スイッチ１８が長押しされた場合に、その時点のカウント値Ｔn2（Ｔn1＋Ｔn1′）を、そのまま第１の点灯累積時間タイマ１４Ａのカウント値Ｔn2に置き換えて、第１の点灯累積時間タイマ１４Ａの初期化操作を回復させるように構成することもできる。
【００２３】
図５は、前述した本発明に係る照明制御装置を照明器具に適用した実施の形態を示すものである。すなわち、図５において、参照符号２０Ａ、２０Ｂは室内天井部に設けられた照明器具であって、ランプと調光装置としてのインバータ安定器が内蔵されている。また、参照符号２２は室内壁部に設けられた壁内ユニットであって、点灯累積時間タイマ、初期化スイッチおよび制御部が内蔵されている。これら照明器具２０Ａ、２０Ｂと壁内ユニット２２に対しては、分電盤２４を介して給電され、照明器具２０Ａ、２０Ｂと壁内ユニット２２とは調光信号線により接続されている。なお、本発明に係る照明制御装置の照明器具に対する適用については、前記実施の形態に限定されることなく、例えば前記照明器具２０Ａ、２０Ｂ内に、点灯累積時間タイマ、初期化スイッチおよび制御部等を内蔵させた構成とすることもできる。
【００２４】
以上、本発明の好適な実施の形態について説明したが、本発明は前記各実施の形態に限定されることなく、本発明の精神を逸脱しない範囲内において、種々の設計変更を行うことができる。
【００２５】
【発明の効果】
請求項１に記載の照明制御装置によれば、点灯累積時間タイマの初期化誤操作を防止することができると共に、点灯累積時間タイマの初期化回復を容易に行うことができる。さらに、請求項２に記載の発明によれば、前記点灯累積時間タイマの初期化誤操作の防止および初期化回復を行うことができる照明器具を容易に得ることができる。
【図面の簡単な説明】
【図１】  本発明に係る照明制御装置のシステム構成を示すブロック系統図である。
【図２】  本発明に係る照明制御装置の制御動作プログラムの構成例を示すフローチャート図である。
【図３】  本発明に係る照明制御装置の制御動作プログラムの別の構成例を示すフローチャート図である。
【図４】  図３に示す照明制御装置における点灯累積時間タイマのカウント動作を示すものであって、（ａ）は第１の点灯累積時間タイマのカウント動作および初期化回復操作を示す説明図、（ｂ）は第２の点灯累積時間タイマのカウント動作および第１の点灯累積時間タイマに対する初期化回復操作を示す説明図である。
【図５】  本発明に係る照明制御装置を適用する照明器具の構成配置例を示す説明図である。
【符号の説明】
１０…ランプ、１２…調光装置、１４…点灯累積時間タイマ、１４Ａ…第１の点灯累積時間タイマ、１４Ｂ…第２の点灯累積時間タイマ、１６…制御部、１８…初期化スイッチ、２０Ａ、２０Ｂ…室内照明器具、２２…壁内ユニット、２４…分電盤
【図１】
0004066653.tif 000002
【図２】
0004066653.tif 000003
【図３】
0004066653.tif 000004
【図４】
0004066653.tif 000005
【図５】
0004066653.tif 000006